(57)【要約】【課題】  本発明は、キッチンカウンタのコーナー部に調理スペースを確保しつつ、他の場所に移動することなしに多くの作業がホームポジションにいながらにしてできるシステムキッチンを提供することを目的とする。【解決手段】略直交する第１及び第２の方向にそれぞれ延在する第１の部分と第２の部分とを有する略Ｌ字形状に形成されてなるキッチンカウンタと、  前記キッチンカウンタのコーナー部の上に設けられるアイレベルキャビネットと、  前記第１の部分と前記第２の部分との接続部において、前記キッチンカウンタの天板がせり出した延出部と、を備え、前記キッチンカウンタの天板と前記アイレベルキャビネットの底面との間に隙間を設け、  前記キッチンカウンタの前記コーナー部において前記延出部の前縁と前記アイレベルキャビネットの前面との間に調理スペースが設けられたことを特徴とするシステムキッチンを提供する。【選択図】  図１
2007319657.tif 000002
【特許請求の範囲】
【請求項１】
略直交する第１及び第２の方向にそれぞれ延在する第１の部分と第２の部分とを有する
略Ｌ字形状に形成されてなるキッチンカウンタと、
前記キッチンカウンタのコーナー部の上に設けられるアイレベルキャビネットと、
前記第１の部分と前記第２の部分との接続部において、前記キッチンカウンタの天板が
せり出した延出部と、
を備え、
前記アイレベルキャビネットの前面のコーナー面と前記延出部の前縁とが略平行に設け
られ、
前記前縁の寸法よりも前記コーナー面の幅方向寸法の方が長く、
前記キッチンカウンタの上において前記延出部を含むように調理スペースが設けられた
ことを特徴とするシステムキッチン。
【請求項２】
前記前縁と前記アイレベルキャビネットの前面との距離が２０センチメートル以上、６
５センチメートル以下であることを特徴とする請求項１記載のシステムキッチン。
【請求項３】
前記アイレベルキャビネットは、左右略対称であることを特徴とする請求項１または請
求項２に記載のシステムキッチン。
【請求項４】
前記コーナー部の角度を２分割する直線に対して略対称となるように、前記前縁とコー
ナー面とが配置されていることを特徴とする請求項１〜３のいずれか１つに記載のシステ
ムキッチン。
【請求項５】
前記アイレベルキャビネットは、前記キッチンカウンタの天板から離間してその上方に
設けられたことを特徴とする請求項１〜４のいずれか１つに記載のシステムキッチン。
【請求項６】
前記アイレベルキャビネットは、前記コーナー面の少なくとも一部を覆うスライド式の
扉を有することを特徴とする請求項１〜５のいずれかか１つに記載のシステムキッチン。
【請求項７】
前記アイレベルキャビネットの前面上方に、照明手段が設けられたことを特徴とする請
求項１〜６のいずれか１つに記載のシステムキッチン。
【請求項８】
前記キッチンカウンタには、コンロとシンクとが設けられ、
前記コンロのもっとも近い火口の中心から前記前縁の片端までの距離が３０センチメー
トル以上、３５センチメートル以下であり、
前記前縁の他の片端から前記シンクの片端までの距離が０センチメートルより大きく、
３０センチメートル以下であることを特徴とする請求項１〜７のいずれか１つに記載のシ
ステムキッチン。
【発明の詳細な説明】
【技術分野】
【０００１】
本発明は、システムキッチンに関し、特に、キッチンカウンタのコーナー部に調理スペ
ースを設けたシステムキッチンに関する。
【背景技術】
【０００２】
炊事に使用するシステムキッチンに、炊事に用いる備品や道具食材などを収納するため
のキャビネットを設けると、スムーズに炊事を行うことができる。このようなキャビネッ
トについてみると、例えば、平面視で略Ｌ型のキッチンカウンタのコーナー部の全域を占
拠し、シンク方向及びコンロ方向へそれぞれ引き出し式収納をスライド可能な略直方体状
のキャビネットが開示されている（特許文献１）。しかし、このキャビネットの場合、キ
ッチンカウンタのコーナー部の全域を占拠するため、調理スペースを確保できないという
問題がある。
【０００３】
また、平面視で略Ｌ型のキッチンカウンタのコーナー部背面側に、平面視で略三角形状
のキャビネットを設け、このキャビネットがガイド機構とキャスターとによりコーナー部
に向けてスライド可能とされたコーナーキャビネットが開示されている（特許文献２）。
しかし、このコーナーキャビネットは、前方にスライドさせた状態においてやはりキッチ
ンカウンタのコーナー部のほぼ全域を占拠してしまうため、調理スペースを確保すること
ができなかった。
【０００４】
一方、平面視で略Ｌ型のキッチンカウンタのコーナー部背面側に、キッチンカウンタ前
縁とほぼ平行に前面が形成された収納キャビネットが開示されている（特許文献３）。し
かし、この収納キャビネットの下方のキッチンカウンタ上にはシンクが設けられており、
キッチンカウンタのコーナー部を調理スペースとして用いることができなかった。
一方、本願出願人は、Ｌ型のキッチンカウンタの上にキャビネットが設けられたシステ
ムキッチンを開示している（例えば、特許文献４）。
【特許文献１】特開昭５９−２１８１１１号公報
【特許文献２】特開平７−２８９３６８号公報
【特許文献３】特許第２６７６８３４号公報
【特許文献４】特開昭６２−１０６７１２号公報
【発明の開示】
【発明が解決しようとする課題】
【０００５】
本発明は、キッチンカウンタのコーナー部に便利な調理スペースを確保しつつ、心理的
にこの調理スペースに作業者が来るよう誘導することができ得るシステムキッチンを提供
する。
【課題を解決するための手段】
【０００６】
本発明の一態様によれば、
略直交する第１及び第２の方向にそれぞれ延在する第１の部分と第２の部分とを有する
略Ｌ字形状に形成されてなるキッチンカウンタと、
前記キッチンカウンタのコーナー部の上に設けられるアイレベルキャビネットと、
前記第１の部分と前記第２の部分との接続部において、前記キッチンカウンタの天板が
せり出した延出部と、
を備え、
前記アイレベルキャビネットの前面のコーナー面と前記延出部の前縁とが略平行に設け
られ、
前記前縁の寸法よりも前記コーナー面の幅方向寸法の方が長く、
前記キッチンカウンタの上において前記延出部を含むように調理スペースが設けられた
ことを特徴とするシステムキッチンが提供される。
【発明の効果】
【０００７】
本発明によれば、キッチンカウンタのコーナー部に調理スペースを確保しつつ、心理的
にこの調理スペースに作業者が来るよう誘導することが出き得るシステムキッチンを提供
でき、産業上のメリットは多大である。
【発明を実施するための最良の形態】
【０００８】
以下、図面を参照しつつ本発明の実施の形態について説明する。  
図１は、本発明の実施の形態にかかるシステムキッチンの基本構成を例示する模式斜視
図である。  
また、図２は、図１に示す本発明の実施の形態にかかるシステムキッチンを例示するた
めの模式平面図である。
【０００９】
本具体例のシステムキッチン１０は、平面視で略Ｌ字状のキッチンカウンタ２０を備え
、コンロ５５とシンク６０とがキッチンカウンタ２０上の略同一平面上に設けられている
。すなわち、システムキッチン１０は、略直交する第１及び第２の方向にそれぞれ延在す
る第１の部分と第２の部分とを有する略Ｌ字形状に形成されてなるキッチンカウンタ２０
を有する。また、キッチンカウンタ２０の下には、フロアキャビネット２３や食洗機（食
器自動洗浄機）２５などが設けられている。これら各部の表面は、例えば、汚れがつきに
くい壁材や鏡面仕上げあるいは木目調仕上げの扉材などを採用することにより、手入れや
掃除がしやすく美観にも優れる。さらに、ユニバーサルデザインの観点からも工夫がされ
ている。例えば、高齢者や身体障害者が椅子１００に座りながら炊事した時に、着座した
状態で膝がキッチンカウンタ２０の下側に当たらないように「ニー・スペース５４」を設
け、楽な姿勢で作業を行うこともできる。このニー・スペース５４は、キッチンカウンタ
２０を支える背板２７及び、フロアキャビネット２３の側板２８と食洗機２５の側板２９
とに囲まれた空間として形成されている。またさらに、食洗機２５の上方のキッチンカウ
ンタ２０には、比較的に使用頻度の低いサブ作業スペース５３が設けられている。
【００１０】
また、従来の略Ｌ型のシステムキッチンの前面側コーナーは、ほぼ直角すなわち９０度
であったのに対して、本具体例では、キッチンカウンタ２０のコーナー部に、作業者に向
かってせり出したキッチンカウンタ２０の天板の延出部２１が設けられている。延出部２
１の前面の両側のコーナー角度は、それぞれ１３５度程度の角度を有する。尚、このコー
ナー角度は１２０度以上であることが望ましい。もし、１２０度以下であれば、座位作業
時に作業者の腕・肘がキッチンカウンタ２０のコーナー部と干渉することがあるからであ
る。
【００１１】
このような延出部２１を設けることにより、キッチンカウンタ２０のコーナー部におい
て作業者との間の空間領域を有効利用でき、後述する調理スペース５０を確保することが
できる。
【００１２】
略Ｌ字状のキッチンカウンタ２０のコーナー部には、その高さにアイレベルすなわち立
位あるいは座位の作業者の目の高さ位置を含んでいるアイレベルキャビネット３０がその
背面をキッチンカウンタ２０の背面と連なるように設けられている。つまり、キッチンカ
ウンタ２０のコーナー部の上において、キッチンカウンタ２０の背面に沿ってアイレベル
キャビネット３０が設けられている。そして、延出部２１の前縁２０ａとアイレベルキャ
ビネット３０の前面との間にできるキッチンカウンタのスペースが調理スペース５０とな
る。この調理スペース５０は、コンロ５５とシンク６０との間に位置し、水洗いした食材
を加工したり、コンロで加熱した鍋などの調理用器具などを臨時的に置いたり、料理を食
器に盛りつけるなどの一連の作業を行うことができる場所もある。
【００１３】
またさらに、キッチンカウンタ２０とアイレベルキャビネット３０との間には隙間が設
けられ、この隙間も補助的な調理スペースとして利用することができる。すなわち、キッ
チンカウンタ２０と、アイレベルキャビネット３０の底板と、により挟まれた空間が隙間
として設けられている。  
図３は、アイレベルキャビネット３０の平面寸法を例示する模式図である。アイレベル
キャビネット３０の前面の幅は例えば４２ｃｍであり、この前面の両端部における奥行き
は２４ｃｍであり、奥行きの最大寸法は５２ｃｍである。このようなサイズのスペースが
あると、後に詳述するように、標準的なサイズのまな板やボウルなどを完全に収納するこ
とが可能となる。
【００１４】
このアイレベルキャビネット３０は、キッチンカウンタ２０背面に沿って２つの収納部
３９が略直角に設けられ、それらの内部には収納抽斗４０がスライド引き出し自在にそれ
ぞれ設けられている。なお、図１は、これら収納抽斗４０がそれぞれ引き出された状態を
表す。これら収納抽斗４０は、収納部３９の長軸に沿ってそれぞれ独立にスライドする。
【００１５】
アイレベルキャビネット３０の内部には、キッチンカウンタ２０の天板に対して略平行
な複数の棚板４５が設けられている。立位及び座位の作業者からみて少なくともアイレベ
ル位置にある棚板４５の前縁４５ａを含むコーナー面４５ｂと延出部２１の前縁２０ａと
は、略平行となっている。コーナー面４５ｂとは、アイレベルキャビネット３０の前面に
位置し、キッチンカウンタ２０の天板に略垂直な面をいう。そして、前縁２０ａの寸法Ｌ
１よりもコーナー面４５ｂの幅方向寸法Ｌ２の方が同じまたは長いものとなっている。
【００１６】
本実施形態では、このような構成を取るため、心理的に作業者が調理スペース５０に来
るよう誘導することができる。人は、平行な面の前に正対すると心が落ち着くという性質
を有する。特に、アイレベル位置に平行な面があれば無意識のうちにその平行な面に正対
して作業をするようになる。すなわち、アイレベルキャビネット３０の前面のコーナー面
４５ｂに正対して作業をすることを無意識のうちに望むようになり、作業者がコーナー面
４５ｂの前方の調理スペース５０で作業をするためにそこに来るよう誘導することができ
るようになる。また、前縁２０ａの寸法Ｌ１よりもコーナー面４５ｂの幅方向寸法Ｌ２の
方が長いものとなっているため、アイレベル位置により広い平行な面ができ、さらに効果
的に作業者を誘導できることになる。
【００１７】
ここで、アイレベルキャビネット３０のコーナー面４５ｂの幅方向寸法Ｌ２は、延出部
２１の前縁２０ａの幅Ｌ１よりも大きいことが望ましい。  
図４は、前縁２０ａの寸法Ｌ１よりもコーナー面４５ｂの幅方向寸法Ｌ２の方が短い場
合を例示する斜視図である。  
また、図５は前縁２０ａの寸法Ｌ１よりもコーナー面４５ｂの幅方向寸法Ｌ２の方が長
い場合を例示するための模式図である。なお、本具体例においては、アイレベルキャビネ
ット３０には後述するスライド式扉が備えられている。
【００１８】
図４と図５とを比較すればあきらかなように、図４に表した具体例の場合には延出部２
１の正面に幅狭に突出したアイレベルキャビネットが設けられているために、延出部２１
に対面すると心理的な不安定さを感ずる。これに対して、図５に表した具体例の場合には
、延出部２１の正面に幅の広い平面が前縁２０ａに対して平行に設けられているので安定
感があり、安定心理的な落ち着きが得られる。つまり、安定感のある環境で心地よく調理
作業などを進めることができる。
【００１９】
このように、本実施形態によれば、コーナー面４５ｂと延出部２１の前縁２０ａとが略
平行となっているので、そこに立つだけでも平行なコーナー面４５ｂと正対することにな
り、心が落ち着きそこでの作業能率も高くなるという効果を生じる。また、延出部２１の
前縁２０ａが直線のため作業者が作業をする際に腹部を当てながら作業ができ、直ぐ前面
に調理に用いる備品、道具食材などを収納するためのアイレベルキャビネット３０も設け
られているので調理スペース５０での作業がますます容易となる。このように、心理的に
も落ち着き、かつ、作業がし易い調理スペース５０に、無意識のうちに作業者が来るよう
になる。その結果、使い勝手の良さからも作業者を心理的にさらに誘導しやすくなる。
【００２０】
またさらに、延出部２１の正面からみた構成がほぼ左右対称となっていることも心理的
な安定感に作用する。  
図６及び図７は、アイレベルキャビネット３０が左右非対称に形成された場合を例示す
る模式斜視図及び模式平面図である。  
この具体例の場合にも、アイレベルキャビネット３０のコーナー面の幅方向の寸法は、
延出部２１の前縁２０ａの寸法よりも短く、また延出部２１の正面から見るとアイレベル
キャビネット３０の前面が右側に偏っており、不安定感や違和感が感じられる。これに対
して、本実施形態によれば、図５に表したように延出部２１の正面からみて左右対称に形
成されており、安定感が得られている。
【００２１】
さて、調理における作業動作の中心は、まな板やボウルなどを使った調理作業であり、
これを中心にシンクを使った作業やコンロを使った作業が放射状に動くことになる。本実
施形態においては、略Ｌ字状のキッチンカウンタ２０のほぼ中央であるコーナー部に調理
スペース５０を設け、ここに作業者が来るよう心理的に誘導することができる。そのため
、キッチンカウンタ２０のほぼ中央であるコーナー部をホームポジション（主に作業をす
る場所）として、放射状にシンクを使った作業やコンロを使った作業ができることになり
、一連の作業をも効率的に行えるという効果も生じる。
【００２２】
図８は、作業者がコンロ上にある一番離れた鍋５５ａの中を確認する時の動作を説明す
るための模式図である。  
図９は、鍋５５ａをのぞき込んだときの身体（頭、肩、腰）の回転角度を示すグラフ図
である。
【００２３】
また、図１０は、図９で示された身体（頭、肩、腰）の回転角度の最大値をまとめたグ
ラフ図である。これらの図中の「Ａ型」とは延出部２１を有する本実施形態のシステムキ
ッチン、「Ｌ型」とは延出部がもうけられていない従来のＬ型システムキッチン、「Ｉ型
」とは一方向に延在するシステムキッチンを表している。尚、これらはいずれも立ち作業
の場合を測定したものである。また、このときのコンロの具体的寸法を図１１に示す。
【００２４】
図８から解るように、Ｉ型の場合は調理スペースが鍋５５ａに近く、Ｌ型の場合は調理
スペースが鍋５５ａから遠い。そのため、図９、図１０から解るようにＩ型の方がＬ型よ
りも身体（頭、肩、腰）の回転角度が少なくてすみ身体に対する負担は少ない。しかし、
同じ設備仕様を有するＩ型とＬ型とを比べれば、Ｌ型システムキッチンの方が遥かにフロ
アのスペース効率がよい。そのため、Ｌ型における調理作業場所をコンロなどの他の作業
スペースに近づけるようにすることが望ましいのではあるが、Ｌ型のコーナー部は作業が
しづらく、また、システムキッチンのどこで作業を行うかは作業者により異なっていた。
【００２５】
これに対して、本実施形態に係るＡ型においては、前述したように作業者をコーナー部
に心理的に誘導するとともに、この部分に調理スペース５０を設けている。そのため、Ａ
型においては、高い頻度で作業者がコーナー部の調理スペース５０において調理作業を行
う。そして、図９、図１０から解るようにＬ型のフロアのスペース効率を有したまま、Ｉ
型とほぼ変わらない少ない身体（頭、肩、腰）の回転角度を得ることができた。尚、説明
の便宜上、鍋をのぞき込む場合を説明したが、シンクの中を覗き込む場合も同様の効果が
得られる。また、前述のようにコーナー部（調理スペース５０）はキッチンカウンタ２０
のほぼ中央であるため、キッチンカウンター上のどの部分を視認の対象としても左右均等
の回転角度ですみ、片側の視認に過大な回転角度を有するようなこともない。
図１２は、作業者の調理動作をモーションキャプチャを用いて測定した模式図である。
すなわち、図１２（ａ）はＬ型（従来のＬ型システムキッチン）の立ち作業で調味料を出
す場合、図１２（ｂ）はＬ型の立ち作業でボウルでの作業をする場合、図１２（ｃ）はＡ
型（本実施形態のシステムキッチン）の立ち作業で調味料を出す場合、図１２（ｄ）はＡ
型（本実施形態のシステムキッチン）の立ち作業でボウルでの作業をする場合、をそれぞ
れ表す。尚、被験者は身長１６２センチメートルの女性、調理作業はほうれん草の胡麻和
えの調理とした。
【００２６】
ここで、両者を比べればＡ型（本実施形態のシステムキッチン）の場合の方が作業動線
が短く作業効率が高いことが解る。
Ｌ型の場合、調味料作業をする場所Ａの近くにボウルを置くことができない。また、調
味料を収納しておく場所も決められていない。尚、今回の実験ではシンクの近くに調味料
が予め置いてあることとした。このように、調味料作業をする場所とボウルを置く場所が
離れているので、作業者は身体を回転させるようにしてボウルの置いてある場所まで移動
する必要が生じる。これに比べＡ型の場合は、調理スペース５０にボウルを置くことがで
き、また、作業者の直前に調味料が収納可能なアイレベルキャビネット３０が設置されて
いる。そのため、おなじ場所（調理スペース５０）で作業を続けることができるため、作
業動線が短く作業効率も高くなる。
【００２７】
図１２（ｅ）は、ホームポジションからの距離と時間との関係を示したグラフ図である
。図中の（ａ）〜（ｄ）はそれぞれ図１２（ａ）〜図１２（ｄ）に対応する。この図から
も解るように、Ｌ型ではボウルでの作業に移るときに大きな移動量を必要とすることが解
る。これに対し、Ａ型ではおなじ場所（調理スペース５０）で作業を続けることができる
ため移動する必要がないことが解る。尚、前述のように今回の実験ではシンクの近くに調
味料が予め置いてあることとしたが、実際のＬ型では調味料の収納場所がもっと遠い場合
が多いと考えられ、実際の移動距離はさらに長くなると考えられる。なおここで、Ｌ型の
場合のホームポジションは、調味料作業をする場所Ａの前とした。
【００２８】
図１３は、図１０の場合における調理時間と作業のための移動距離の積算値を示したグ
ラフ図である。  
これらから、Ａ型（本実施形態のシステムキッチン）の方が、Ｌ型よりも調理時間はお
なじでも移動距離が短く身体に対する負担が少ないことが解る。
【００２９】
図１４は、図１３における総移動距離を示したグラフ図である。この図からもＡ型（本
実施形態のシステムキッチン）の方がＬ型よりも、総移動距離が短く身体に対する負担が
少ないことが解る。
【００３０】
図１５は、ホームポジションからの移動距離と調理時間との関係を示したグラフ図であ
る。ここで、「ホームポジション」とは、前述したように主に作業をする場所をいい、Ａ
型の場合は延出部２１の前縁２０ａの前のことをいう。図から解るように、ほうれん草を
ゆでる工程までは、Ａ型もＬ型もあまり差はない。しかし、調味料をボールに入れて混ぜ
るボウルでの作業の工程とほうれん草をゆでこぼす工程とでは差が生じ、Ａ型の方が移動
距離が短いことが解る。
【００３１】
図１６は、調理スペースの寸法関係を例示する模式図である。  
延出部２１の前縁２０ａとアイレベルキャビネット３０の前面との寸法Ｌ３（調理スペ
ース５０の奥行き寸法）は、調理に用いる中心的な道具であるまな板やボウルが置ける寸
法で、かつ、アイレベルキャビネット３０まで手が届く寸法である必要がある。ここで、
まな板の寸法はその作業性を考慮すると２０センチメートルが最小と考えられる。成人女
性の腹部から指先までの寸法は短い人で７０センチメートル程度であるので、上体を軽く
屈めてアイレベルキャビネット３０まで手が届くのは図１６に示すように６５センチメー
トル程度と考えられる。
【００３２】
そのため、延出部２１の前縁２０ａとアイレベルキャビネット３０の前面との寸法範囲
（調理スペース５０の奥行き寸法範囲）は２０センチメートル〜６５センチメートルとす
ることが望ましい。さらに、６０センチメートルとすれば楽にアイレベルキャビネット３
０まで手が届くこと、成人女性の肘から指先までの寸法が短い人で３０センチメートル程
度であることを考慮すると、３０センチメートル〜６０センチメートルとすることが作業
性の面からより望ましい。さらに、成人女性の肘から指先までの寸法が長い人を考慮する
と、肘から指先までの寸法が４５センチメートル程度であるので、４５センチメートル〜
６５センチメートルとすることがより望ましい。このようにすれば、アイレベルキャビネ
ット３０から必要な調理器具や調味料等の備品を取り出す際にも、移動することなく、手
を伸ばすだけで取り出せるので、「作業動線」を縮小でき、作業をスムーズにかつ楽に行
うことができるので作業者を心理的にさらに誘導しやすくなる。
【００３３】
本実施形態によれば、作業者がアイレベルキャビネット３０に正対したときに、コーナ
ー面４５ｂの幅方向の両端が前縁２０ａの両端より外側に出るようにしている。このよう
にすれば、コーナー面４５ｂの幅方向の片端が外側に出ているときよりも作業者の心を落
ち着かせ、作業者を心理的にさらに誘導しやすくなる。
【００３４】
略Ｌ型のシステムキッチンの後面側コーナー部の角度θ（図１８参照）を２分割する直
線に対して略対称となるように、前縁２０ａとコーナー面４５ｂとを配置することもでき
る。このようにすれば、人の心理として、左右対称形状の真ん中に正対したときが最も圧
迫感が少なく落ち着くので、作業者を心理的にさらに誘導しやすくなる。
【００３５】
図１７は、図１に示す本発明の実施の形態にかかるシステムキッチンの調理スペース５
０付近の断面を例示するための模式断面図である。  
同図に示すように、キッチンカウンタ２０の天板とアイレベルキャビネット３０の底面
との間に隙間３１を設けることもできる。ただし、アイレベルキャビネット３０の底面が
座位の作業者のアイレベル位置よりも下になるようにする。そのようにすれば、アイレベ
ル位置にコーナー面４５ｂを確保することが可能となるので前述の作業者の誘導効果は失
われることがない。本発明者は検討の結果、調理の作業性や道具・材料の収納性を考慮し
てこの隙間３１を１４センチメートル程度とすることが望ましいとの知見に至った。また
、このときアイレベルキャビネット３０の平面方向スペースを図１８に示すように幅２５
センチメートル以上、奥行き２０センチメートル以上とすることが望ましいとの知見にも
至った。このようなスペースを確保できれば、まな板のみならず、一般的なザルやボール
の直径が２３センチメートル程度であるため、これらを収納ができ、かつ邪魔にならない
からである。
【００３６】
そして、このような隙間３１を設ければ、調理のための作業スペースがさらに広くなり
作業もし易くなる、また、調理に使う他の道具や材料を収納することも可能となるので他
の場所に移動することなしに多くの作業がホームポジションにいながらにしてできること
にもなる。特に、調理作業の中心となる道具であるまな板を収納したり、まな板を収納す
る手段を別途設けるようにすれば、作業能率をさらに向上させることができるので、作業
者を心理的にさらに誘導しやすくなる。
【００３７】
アイレベルキャビネット３０の前面にはスライド開閉式の扉を設けることができる。こ
のようにすれば、扉前面がコーナー面４５ｂとなるので、より明確で広いコーナー面を確
保することができる。また、スライド式とすれば作業者側に出っ張ってこないので調理ス
ペース５０が狭くなったり、圧迫感が増したりするようなこともない。そのため、さらに
圧迫感が少なく落ち着くので、作業者を心理的により誘導しやすくなる。
【００３８】
また、扉を設けるだけでも煩雑感がなくなりすっきりする。さらに、扉の材質を不透明
なものとすればアイレベルキャビネット３０の収納物が見えなくなり煩雑感がなくなるの
でさらに圧迫感が減少する。一方、半透明とすれば収納物を識別することが可能となると
同時に違和感も少なくなり美的外観にも優れたものとなる。本発明者は、検討の結果、少
なくとも扉の一部をすりガラスや半透明の樹脂などとすることが望ましく、さらにほぼ全
面をすりガラスや半透明の樹脂で構成すればより望ましいとの知見を得た。そして、この
ような構成を採用することで、作業者を心理的にさらに誘導しやすくすることができる。
また、アイレベルキャビネットに扉を設ければ防虫効果も高まり衛生面でも優れた効果を
生じる。
【００３９】
また、本発明者は、検討の結果、扉の全面は平面であった方がコーナー面が明確になる
ので望ましいが、わずかな湾曲程度なら作業者を心理的に誘導するという効果は失われな
いとの知見をも得た。
【００４０】
図１９〜図２１は、アイレベルキャビネット３０の模式断面図である。尚、説明の便宜
上、底板４６の上に設けられた棚板４５は１段としている。上扉３２と下扉３３は枠体部
３２ａ、３３ａとすりガラス窓３２ｂ、３３ａとを備え、枠体部３２ａ、３３ａの下部に
は取手３２ｃ、３３ｃが設けられている。上扉３２、下扉３３は図示しないバランス手段
により任意の位置で保持されるようになっている。図２０は下扉３３を開けた状態、図２
１は上扉３２を開けた状態をそれぞれ例示する。このように上下スライド式の扉の場合に
は、開閉に際して作業者の身体を左右にねじる力が作用しないので、開閉が楽である。ま
た、例えば、回転可能な椅子１００（図１参照）に座った作業者が扉を開閉する際にも、
身体が左右に揺れることがない。
【００４１】
図２２及び図２３も、上下スライド式の扉を設けた具体例を表す。本具体例においては
、いわゆるブラインドシャッター３４が設けられ、図２２はブラインドシャッター３４が
閉じられた状態、図２３はブラインドシャッター３４を半分程度開けた状態を表す。
【００４２】
図２４及び図２５は、左右スライド式の扉を例示するための模式図である。尚、扉の構
成は図１９に表した具体例と同様であるので省略する。ただし、左右スライド式の場合は
バランス手段を必要としない。図２５は、左側扉を開けた状態を表す。
【００４３】
図２６及び図２７は、左右開閉のブラインドシャッターを設けた具体例を表す。  
図２６はブラインドシャッター３５を閉じた状態、図２７はブラインドシャッター３５
を半分程度開けた状態にそれぞれ表す。
【００４４】
尚、本発明は、これらに例示した扉の構造や種類に限定されるわけではなく、扉の材質
や色などもアイレベルキャビネット本体やキッチンカウンタなどを考慮して適宜選択する
こともできる。
【００４５】
一方、本実施形態においては、アイレベルキャビネット３０の前面上方に、照明手段を
設けることもできる。  
図２８は、アイレベルキャビネット３０の上方に照明手段を設けた具体例を表す模式図
である。  
本具体例においては、アイレベルキャビネット３０の上にウォールキャビネット８０が
設けられている。そして、ウォールキャビネット８０の下面にスポット照明８２が設けら
れ、スポット光Ｌによりアイレベルキャビネット３０の前方に拡がり延出部２１を含む調
理スペース５０を照らすことができるようにされている。調理スペース５０を照明手段で
照らすことができれば、調理作業がし易くなるばかりではなく、スポットライト的な効果
により作業者を心理的にさらに誘導しやすく、また心地よく調理作業ができる。
【００４６】
図２９は、本実施形態における調理スペース５０を説明するための模式図である。  
ここでは、作業者Ｐからみて近い順に、軽く脇を締めた状態で楽に作業できる範囲を「
領域１」（例えば、肩を中心として有効半径およそ３０センチメートル）、上体を屈める
ことなく脇から腕を伸ばして届く範囲を「領域２」（例えば、肩を中心として有効半径お
よそ５０センチメートル）、さらに上体を前方に屈めることにより届く範囲を「領域３」
とした。  
例えば、まな板の上で食材を切ったり、ボウルを用いて食材を捏ねたりするなどの手元
の作業は領域１の範囲で行い、作業中に使うものを仮置きする場合などに領域２の範囲を
利用すると、楽に素早く作業を行うことができ、この領域１と領域２は前述したように使
用頻度が高い作業のスペースに値する領域であるといえる。尚、前述の調理スペース５０
の領域は多少上体を屈めた時をも含むため、領域１と領域２よりは奥行き方向に若干広く
なっている。
【００４７】
これに対して、領域３は、上体を屈める必要があり、高頻度の作業には適さないため、
いわゆる「デッドスペース」になりやすい。
【００４８】
本実施形態においては、このように略Ｌ字状のカウンタ２０のコーナー部の領域３が、
デッドスペースになりやすく、且つ、コンロ５５とシンク６０とに挟まれていることを考
慮して、このデッドスペースに両翼を有するアイレベルキャビネット３０を設けている。
こうすることにより、領域１と領域２からなる作業のスペースに何ら影響を与えることな
く、作業に必要な備品をすぐに取り出したり収納したりすることができる。
【００４９】
図３０は、延出部２１の左右の少なくとも一方に作業スペースを確保する場合のコンロ
、シンクの配置を例示した模式図である。  
このような作業スペースＳがあると、調理スペース５０における作業において、材料や
調味料などの仮置きができ便利である。ただし、あまりこのスペースを大きくすると仮置
きした材料や調味料に手が届きにくくなり、またコンロ５５やシンク６０も遠ざかってし
まうこととなるので、かえって不便となる。本発明者は検討の結果、コンロまたはシンク
の調理スペース側端面の延長線とキッチンカウンタの前縁との交点を通る延出部２１に平
行な仮想の線を求め、この仮想の線と延出部２１との距離を３０センチメートル以内にす
ることが望ましいとの知見に至った。また、この距離を１５センチメートル以内とするこ
とがさらに望ましいとの知見にも至った。図３１に示すように、人Ｐの身体の厚みは２０
〜３０センチメートル程度なので、前述の距離を３０センチメートル以内とすれば、無理
なくこの作業スペースを使いこなせるからである。また、人の肩中心から腹部までは１０
〜１５センチメートル程度なので、前述の距離を１５センチメートル以内とすれば、さら
に無理なくこの作業スペースを使いこなせる。
【００５０】
図３２は、調理スペース５０付近の具体的寸法を例示した模式図である。  
延出部２１の前縁２０ａの長さは、例えば３６０ミリメータとすることができる。太っ
た男性でも、お腹部分の横幅は最大で３５０ミリメータ程度であるので、こうすると、前
縁２０ａよりもはみ出すことはない。図中の中央楕円で示した領域が調理スペース５０の
領域、左右の楕円の領域が道具や材料などの仮置きなどに使われるサブの調理スペースで
ある。ただし、これらの寸法に限定されるわけではない。
【００５１】
ところで、本実施形態においては、調理スペース５０がコンロ５５とシンク６０とに挟
まれているため、それらとの距離と作業性・安全性との関係を考慮する必要がある。特に
、コンロとの距離は安全性の上で重要である。
【００５２】
まず、調理スペース５０とコンロ５５との関係について説明する。  
調理スペース５０からコンロ５５が遠くに離れていると、調理スペース５０からコンロ
５５に置いてある鍋などの状態を視認することが困難となる。逆に、コンロ５５との距離
が近すぎると調理スペース５０での作業のじゃまになり、作業者の肘などが鍋などにあた
れば危険でもある。本発明者は、調理スペース５０で正対している状態から振り返るとき
の腕・肘の軌跡をシミュレーションから求め、コンロ５５に置かれた鍋に干渉しない位置
を検討した。
【００５３】
図３３は、調理スペース５０に正対している状態からコンロ５５側に振り返ったときの
腕・肘の軌跡をシミュレーションした場合の模式図である。図中の略三角形の領域３４が
腕・肘の軌跡の範囲である。
【００５４】
図３４は、作業者の各身長における腕・肘の軌跡が干渉しない調理スペース５０とコン
ロ５５との最小距離を示すグラフ図である。このグラフ図中の線の上側領域が腕・肘が当
たらず安全に作業ができる領域である。尚、このシミュレーションは作業者が椅子に座っ
ている場合を想定している。座っている方が腕・肘の位置が低くより鍋などに当たりやす
いからである。また、縦軸のコンロから前縁端まで距離Ｌ４とは、調理スペース５０に最
も近いコンロの中心から前縁２０ａの片端間での距離をいう。
【００５５】
図３５は、調理スペース５０で調理をする作業者からコンロ１つが視野に入る最大距離
を示すグラフ図である。この場合、まな板作業など注視点がほぼ正面にあるとき、顔を動
かさずに周辺視野に最低１つのコンロが入ってきて中身が確認できる距離を求めることと
した。尚、正面に注視している状態における周辺視野角は１３０度としている。このグラ
フ図中の線の下側領域が視野にはいるためコンロの１つが確認できる領域である。尚、こ
のシミュレーションも作業者が椅子に座っている場合を想定している。また、縦軸のコン
ロから前縁端まで距離Ｌ４とは、調理スペース５０に最も近いコンロの中心から前縁２０
ａの片端までの距離をいう。
【００５６】
図３６は、前述の図３４と図３５とを重ね合わせたものである。このグラフ図からは、
鍋などとの干渉性と視認性（安全性と作業性）が両立できる最適な調理スペース５０とコ
ンロ５５との距離を知ることができる。この場合、調理をする人に女性が多いことを考慮
して、身長を１５０センチメートル〜１７０センチメートルとすれば、グラフ図中に示し
た斜線領域が最適な範囲（３０センチメートル〜３５センチメートル）となる。
【００５７】
次に、調理スペース５０とシンク６０との関係について説明する。  
シンク６０までの距離が遠くなるほど移動距離が長くなるのでシンクを使う場合を含め
た総合的な作業性が悪くなる。逆に、シンク６０までの距離を極端に近づけると、シンク
６０に調理スペース５０が奪われ調理の作業性が悪くなる。そこで、シンク６０をどこま
で離したときに作業者の主観が悪くなるか（作業のしづらさを感じたか）を実験で求めた
。
【００５８】
図３７は、シンク６０をコーナー部から離していくときの様子を模式的に表した図であ
る。  
図３８は、シンク６０をコーナー部から離していったときの主観の変化を示した円グラ
フ図である。円グラフ図上方の数値は、前縁２０ａの片端からシンク６０の片端までの距
離Ｌ５を示している。また、円グラフ図の色分けを示した１〜５の数値は、数値が小さく
なるほど主観が悪くなったこと（１に近づくほど作業のしづらさを感じたこと）を示して
いる。これらの円グラフ図から解るように、シンク６０までの距離が小さいほど主観がよ
く、３０センチメートルを超えて４５センチメートルになるとほぼ全員の主観が悪くなる
ことが解る。
【００５９】
以上説明した結果から、コンロの中心から前縁２０ａの片端まで距離Ｌ４を３０センチ
メートル〜３５センチメートル、前縁２０ａの片端からシンク６０の片端までの距離Ｌ５
を０センチメートル〜３０センチメートルとすることが好適であることが解る。
【００６０】
図３９は、本実施の形態における座位の作業者とシステムキッチンの関係を模式的に表
した図である。ニー・スペース５４を設けることにより、作業者は椅子１００に座った状
態で調理スペース５０において楽に調理作業などを進めることができる。
【００６１】
図４０は、ニー・スペース５４がない場合の本発明の実施の形態にかかるシステムキッ
チンの基本構成を例示する模式斜視図である。本実施の形態においては、作業者は基本的
には立ち作業となる。そのため、アイレベル位置がその分高くできるので、アイレベルキ
ャビネットの位置も上に上げることができる。その結果、キッチンカウンタ２０の天板と
アイレベルキャビネット３０の底面との間の隙間３１も広くすることができ作業性の向上
が図れる。また、図３３〜図３６に関して説明した安全性・作業性の観点からの寸法制限
を緩和することもできる。立ち作業の方が腕・肘の位置が高いため鍋などとの干渉がしづ
らく、また自由度も大きくなるからである。図４１は、図４０に例示したシステムキッチ
ンと作業者の関係を模式的に表した図である。
【００６２】
以上、具体例を参照しつつ本発明の実施形態について説明した。しかし、本発明はこれ
ら具体例に限定されるものではない。  
本発明のシステムキッチン１０は、その一部を台所の壁面に接して設置してもよく、あ
るいは壁面から離間させて設置してもよい。例えば、アイレベルキャビネット３０の背後
には台所の壁面があり、そこからシンクを横方向に突出させることにより、シンクの部分
を対面式にすることかできる。このような、いわゆる対面型のシステムキッチンも本発明
の範囲に包含される。
【００６３】
本発明において用いられるキャビネット３０やこれらに付設される要素などは図示した
収納抽斗、数、方向、形状、サイズ、配置、取手の形状、取り付け面、に限定されず、当
業者が適宜変更を加えたものであっても、本発明の要旨を変更しない範囲において適宜設
計変更して採用したものも、本発明の要旨を有する限りにおいて本発明の範囲に包含され
る。
【００６４】
また、システムキッチンのレイアウトに関しても、例示したものに限定されず、本発明
の要旨を変更しない範囲において適宜設計変更して採用したものも、本発明の要旨を有す
る限りにおいて本発明の範囲に包含される。
【図面の簡単な説明】
【００６５】
【図１】本発明の実施の形態にかかるシステムキッチンの基本構成を例示する模式斜視図である。
【図２】図１に示す本発明の実施の形態にかかるシステムキッチンを例示するための模式平面図である。
【図３】棚板の寸法を例示した模式図である。
【図４】前縁の寸法Ｌ１よりもコーナー面の幅方向寸法Ｌ２の方が短いときを例示するための模式図である。
【図５】前縁の寸法Ｌ１よりもコーナー面の幅方向寸法Ｌ２の方が長いときを例示するための模式図である。
【図６】アイレベルキャビネット３０が左右非対称に形成された場合を例示する模式斜視図である。
【図７】アイレベルキャビネット３０が左右非対称に形成された場合を例示する模式平面図である。
【図８】作業者がコンロ上にある一番離れた鍋の中を確認する時の動作を説明するための模式図である。
【図９】鍋をのぞき込んだときの身体（頭、肩、腰）の回転角度を示すグラフ図である。
【図１０】身体（頭、肩、腰）の回転角度の最大値をまとめたグラフ図である。
【図１１】実験に使ったコンロの寸法を示す模式図である。
【図１２】作業者の調理動作をモーションキャプチャを用いて測定した図である。
【図１３】場合における調理時間と作業のための移動距離を示したグラフ図である。
【図１４】総移動距離を示したグラフ図である。
【図１５】ホームポジションからの移動距離と調理時間との関係を示したグラフ図である。
【図１６】上体を軽く屈めてアイレベルキャビネットまで手を伸ばした状態を例示した模式図である。
【図１７】図１に示す本発明の実施の形態にかかるシステムキッチンの調理スペース５０付近の断面を例示するための模式断面図である。
【図１８】アイレベルキャビネットの平面方向スペースを例示した模式図である。
【図１９】図４で例示したアイレベルキャビネット３０の模式断面図である
【図２０】下扉３３を開けたときを例示するための模式図である。
【図２１】上扉３２を開けた時を例示するための模式図である。
【図２２】上下スライド式のブラインドシャッターの場合を例示するための模式図である。
【図２３】ブラインドシャッターを半分程度開けたときを例示するための模式図である。
【図２４】左右スライド式の扉を例示するための模式図である。
【図２５】左側扉を開けた場合を例示するための模式図である。
【図２６】左右開閉のブラインドシャッターを例示するための模式図である。
【図２７】ブラインドシャッターを半分程度開けた場合を例示するための模式図である
【図２８】アイレベルキャビネット３０の上方に照明手段を設けた具体例を表す模式図である。
【図２９】本実施形態における調理スペース５０を説明するための模式図である。
【図３０】延出部の左右の少なくとも一方に作業スペースを確保する場合のコンロ、シンクの配置を例示した模式図である。
【図３１】調理スペースの前にいる作業者の身体の厚みを例示するための模式図である。
【図３２】調理スペース付近の具体的寸法を例示した模式図である。
【図３３】調理スペース５０に正対している状態からコンロ５５側に振り返ったときの腕・肘の軌跡をシミュレーションした場合の模式図である。
【図３４】作業者の各身長における腕・肘の軌跡が干渉しない調理スペース５０とコンロ５５との最小距離を示すグラフ図である。
【図３５】調理スペース５０で調理をする作業者からコンロ１つが視野に入る最大距離を示すグラフ図である。
【図３６】図３４と図３５とを重ね合わせたグラフ図である。
【図３７】シンク６０をコーナー部から離していくときの様子を模式的に表した図である。
【図３８】シンク６０をコーナー部から離していったときの主観の変化を示した円グラフ図である。
【図３９】本実施の形態における作業者とシステムキッチンの関係を模式的に表した図である。
【図４０】ニー・スペース５４がない場合の本発明の実施の形態にかかるシステムキッチンの基本構成を例示する模式斜視図である。
【図４１】図４０に例示したシステムキッチンと作業者の関係を模式的に表した図である。
【符号の説明】
【００６６】
１０ システムキッチン、２０ キッチンカウンタ、 ２０ａ 前縁、 ２１ 延出部、 ２３
フロアキャビネット、 ２５ 食洗機、 ３０ アイレベルキャビネット、 ３１ 隙間、 ３
２ 上扉、 ３２ａ 枠体部、 ３２ｂ ガラス窓、 ３２ｃ 取手、 ３３ 下扉、 ３４、３５
ブラインドシャッター、 ３９ 収納部、 ４０ 収納抽斗、 ４５ 棚板、 ４５ａ 前縁、 
４５ｂ コーナー面、 ５０ 調理スペース、 ５３ サブ作業スペース、 ５４ ニー・スペ
ース、 ５５ コンロ、 ５５ａ 鍋、 ６０ シンク、 ８０ ウォールキャビネット、 ８２ 
スポット照明、１００ 椅子
【図１】
2007319657.tif 000003
【図２】
2007319657.tif 000004
【図３】
2007319657.tif 000005
【図４】
2007319657.tif 000006
【図５】
2007319657.tif 000007
【図６】
2007319657.tif 000008
【図７】
2007319657.tif 000009
【図８】
2007319657.tif 000010
【図９】
2007319657.tif 000011
【図１０】
2007319657.tif 000012
【図１１】
2007319657.tif 000013
【図１２】
2007319657.tif 000014
【図１３】
2007319657.tif 000015
【図１４】
2007319657.tif 000016
【図１５】
2007319657.tif 000017
【図１６】
2007319657.tif 000018
【図１７】
2007319657.tif 000019
【図１８】
2007319657.tif 000020
【図１９】
2007319657.tif 000021
【図２０】
2007319657.tif 000022
【図２１】
2007319657.tif 000023
【図２２】
2007319657.tif 000024
【図２３】
2007319657.tif 000025
【図２４】
2007319657.tif 000026
【図２５】
2007319657.tif 000027
【図２６】
2007319657.tif 000028
【図２７】
2007319657.tif 000029
【図２８】
2007319657.tif 000030
【図２９】
2007319657.tif 000031
【図３０】
2007319657.tif 000032
【図３１】
2007319657.tif 000033
【図３２】
2007319657.tif 000034
【図３３】
2007319657.tif 000035
【図３４】
2007319657.tif 000036
【図３５】
2007319657.tif 000037
【図３６】
2007319657.tif 000038
【図３７】
2007319657.tif 000039
【図３８】
2007319657.tif 000040
【図３９】
2007319657.tif 000041
【図４０】
2007319657.tif 000042
【図４１】
2007319657.tif 000043
【手続補正書】
【提出日】平成18年9月7日(2006.9.7)
【手続補正１】
【補正対象書類名】特許請求の範囲
【補正対象項目名】全文
【補正方法】変更
【補正の内容】
【特許請求の範囲】
【請求項１】
略直交する第１及び第２の方向にそれぞれ延在する第１の部分と第２の部分とを有する
略Ｌ字形状に形成されてなるキッチンカウンタと、
前記キッチンカウンタのコーナー部の上に設けられるアイレベルキャビネットと、
前記第１の部分と前記第２の部分との接続部において、前記キッチンカウンタの天板が
せり出した延出部と、
を備え、
前記キッチンカウンタの天板と前記アイレベルキャビネットの底面との間に隙間を設け、
前記アイレベルキャビネットの底面が、座位の作業者のアイレベル位置よりも下になるようにし、
前記キッチンカウンタの前記コーナー部において前記延出部を含むように調理スペースが設けられた
ことを特徴とするシステムキッチン。
【請求項２】
前記アイレベルキャビネットの前面にはスライド開閉式の扉を設けることを特徴とする請求項１に記載のシステムキッチン。
【請求項３】
前記キッチンカウンタの下側にニー・スペースを設けることを特徴とする請求項１または２に記載のシステムキッチン。
【手続補正２】
【補正対象書類名】明細書
【補正対象項目名】０００５
【補正方法】変更
【補正の内容】
【０００５】
本発明は、キッチンカウンタのコーナー部に便利な調理スペースを確保しつつ、他の場所に移動することなしに多くの作業がホームポジションにいながらにしてできるシステムキッチンを提供する。
【手続補正３】
【補正対象書類名】明細書
【補正対象項目名】０００６
【補正方法】変更
【補正の内容】
【０００６】
本発明の一態様によれば、
略直交する第１及び第２の方向にそれぞれ延在する第１の部分と第２の部分とを有する
略Ｌ字形状に形成されてなるキッチンカウンタと、
前記キッチンカウンタのコーナー部の上に設けられるアイレベルキャビネットと、
前記第１の部分と前記第２の部分との接続部において、前記キッチンカウンタの天板が
せり出した延出部と、
を備え、
前記キッチンカウンタの天板と前記アイレベルキャビネットの底面との間に隙間を設け、
前記アイレベルキャビネットの底面が、座位の作業者のアイレベル位置よりも下になるようにし、
前記キッチンカウンタの前記コーナー部において前記延出部を含むように調理スペースが設けられた
ことを特徴とするシステムキッチンが提供される。
【手続補正４】
【補正対象書類名】明細書
【補正対象項目名】０００７
【補正方法】変更
【補正の内容】
【０００７】
本発明によれば、キッチンカウンタのコーナー部に調理スペースを確保しつつ、他の場所に移動することなしに多くの作業がホームポジションにいながらにしてできるシステムキッチンを提供でき、産業上のメリットは多大である。
【手続補正書】
【提出日】平成18年12月22日(2006.12.22)
【手続補正１】
【補正対象書類名】特許請求の範囲
【補正対象項目名】全文
【補正方法】変更
【補正の内容】
【特許請求の範囲】
【請求項１】
略直交する第１及び第２の方向にそれぞれ延在する第１の部分と第２の部分とを有する略Ｌ字形状に形成されてなるキッチンカウンタと、
前記キッチンカウンタのコーナー部の上に設けられるアイレベルキャビネットと、
前記第１の部分と前記第２の部分との接続部において、前記キッチンカウンタの天板がせり出した延出部と、を備え、
前記キッチンカウンタの天板と前記アイレベルキャビネットの底面との間に隙間を設け、
前記キッチンカウンタの前記コーナー部において
前記延出部の前縁と前記アイレベルキャビネットの前面との間に調理スペースが設けられたことを特徴とするシステムキッチン。
【請求項２】
前記アイレベルキャビネットの前面にはスライド開閉式の扉を設けることを特徴とする請求項１に記載のシステムキッチン。
【請求項３】
前記キッチンカウンタの下側にニー・スペースを設けることを特徴とする請求項１または２に記載のシステムキッチン。
【手続補正２】
【補正対象書類名】明細書
【補正対象項目名】０００６
【補正方法】変更
【補正の内容】
【０００６】
本発明の一態様によれば、
略直交する第１及び第２の方向にそれぞれ延在する第１の部分と第２の部分とを有する略Ｌ字形状に形成されてなるキッチンカウンタと、
前記キッチンカウンタのコーナー部の上に設けられるアイレベルキャビネットと、
前記第１の部分と前記第２の部分との接続部において、前記キッチンカウンタの天板がせり出した延出部と、を備え、
前記キッチンカウンタの天板と前記アイレベルキャビネットの底面との間に隙間を設け、
前記キッチンカウンタの前記コーナー部において
前記延出部の前縁と前記アイレベルキャビネットの前面との間に調理スペースが設けられたことを特徴とするシステムキッチンが提供される。